(57)【要約】【課題】強度を低下させずに小型化を図るとともに、フィルタを損傷せずにフィルタの取り付け作業の容易化を図ること。【解決手段】光路に沿って貫通する開口を備え、金属板金によって形成されたフィルタ枠３０１と、開口を覆うようにフィルタ枠３０１に対向配置されたＩＲカットフィルタ２０６およびダミーフィルタ２０７と、フィルタ枠３０１に設けられて、開口の周縁近傍からフィルタ枠３０１の板厚方向に突出するとともに先端がＩＲカットフィルタ２０６およびダミーフィルタ２０７の端部を覆うように屈曲あるいは湾曲した形状からなり、先端をＩＲカットフィルタ２０６およびダミーフィルタ２０７の端部に引っかけることによってＩＲカットフィルタ２０６およびダミーフィルタ２０７をフィルタ枠３０１に係止するフック部７０１と、を備え、フック部７０１を、フィルタ枠３０１を形成する金属板金の曲げ加工によってフィルタ枠３０１に一体に形成した。【選択図】図７
2010020002.tif 000002
【特許請求の範囲】
【請求項１】
光路に沿って貫通する開口を備え、金属板金によって形成された基枠部と、
前記開口を覆うように前記基枠部に対向配置された光学フィルタと、
前記基枠部に設けられて、前記開口の周縁近傍から前記基枠部の板厚方向に突出するとともに先端が前記光学フィルタの端部を覆うように屈曲あるいは湾曲した形状からなり、前記先端を前記光学フィルタの端部に引っかけることによって前記光学フィルタを前記基枠部に係止する係止部と、
を備え、
前記係止部は、前記基枠部を形成する金属板金の曲げ加工によって前記基枠部に一体に形成されていることを特徴とするフィルタ保持機構。
【請求項２】
前記係止部は、自身の弾性によって前記光学フィルタを前記基枠部側に付勢することを特徴とする請求項１に記載のフィルタ保持機構。
【請求項３】
前記係止部は、外力が加えられた状態においては前記光学フィルタが前記開口に対向する位置に位置するように変形可能であって、前記外力が加えられていない状態においては変形前の形状に復帰可能な弾性を有していることを特徴とする請求項１または２に記載のフィルタ保持機構。
【請求項４】
前記係止部は、前記基枠部において前記光学フィルタが対向配置される部分を、前記基枠部の板厚方向に突出させることによって形成されていることを特徴とする請求項１〜３のいずれか一つに記載のフィルタ保持機構。
【請求項５】
前記光学フィルタは、特定波長の光を吸収あるいは透過する第１の光学フィルタと、当該第１の光学フィルタに隣り合って配置されて前記第１の光学フィルタの使用時の光路長と不使用時の光路長とを等しくする第２の光学フィルタと、からなり、
前記係止部は、前記第１の光学フィルタと前記第２の光学フィルタとの境界部近傍に設けられて、前記第１の光学フィルタおよび前記第２の光学フィルタの双方を前記基枠部に係止することを特徴とする請求項１〜４のいずれか一つに記載のフィルタ保持機構。
【請求項６】
前記基枠部に一体に形成されて、前記第１の光学フィルタと前記第２の光学フィルタとの間から前記基枠部の板厚方向に突出した当接規制部を備えたことを特徴とする請求項５に記載のフィルタ保持機構。
【請求項７】
前記基枠部に一体に形成されて、前記第１の光学フィルタおよび前記第２の光学フィルタの前記当接規制部とは反対側の端部から前記基枠部の板厚方向に突出した移動規制部を備えたことを特徴とする請求項６に記載のフィルタ保持機構。
【請求項８】
光路内に入射した外光を撮像用の光電変換素子に入射させるレンズ装置であって、
請求項１〜７のいずれか一つに記載のフィルタ保持機構と、
前記フィルタ保持機構が保持する特定の光学フィルタが前記光路上に位置する第１の位置または前記特定の光学フィルタが前記光路上から退避する第２の位置に位置するように前記フィルタ保持機構を移動させるフィルタ駆動手段と、
を備えたことを特徴とするレンズ装置。
【請求項９】
入射した光の強度に応じた電気信号を出力する撮像用の光電変換素子と、前記撮像用の光電変換素子に外光を入射させるレンズ装置と、を備えた撮像装置であって、
前記レンズ装置は、
請求項１〜７のいずれか一つに記載のフィルタ保持機構と、
前記フィルタ保持機構が保持する特定の光学フィルタが前記光路上に位置する第１の位置または前記特定の光学フィルタが前記光路上から退避する第２の位置に位置するように前記フィルタ保持機構を移動させるフィルタ駆動手段と、
を備えたことを特徴とする撮像装置。
【発明の詳細な説明】
【技術分野】
【０００１】
この発明は、特定の波長域の光を吸収するフィルタを保持するフィルタ保持機構、当該フィルタ保持機構を備えたレンズ装置、および当該レンズ装置を備えた撮像装置に関する。
【背景技術】
【０００２】
従来、昼夜を通して撮影する監視カメラなどのように、可視光を用いての撮像と赤外光を用いての撮像とを切り替えておこなう、いわゆるデイナイト機能を備えた撮像装置があった。デイナイト機能を備えた撮像装置は、たとえば外光に含まれる赤外光をカットするＩＲカットフィルタを備え、可視光を用いた撮像に際しては光路上にＩＲカットフィルタを位置づけて赤外光をカットした状態で撮像をおこなうことによって、撮像画像における色調を人間の目で見た色合いに近づけるようにしている。
【０００３】
デイナイト機能を備えた撮像装置あるいは当該撮像装置が備えたレンズ装置においては、ＩＲカットフィルタを取り付けたフィルタ枠を光路を横切る方向に移動させることによって、ＩＲカットフィルタが光路上に位置する可視光を用いての撮像モードと、ＩＲカットフィルタが光路上から退避した赤外光を用いての撮像モードとを切り替える。ＩＲカットフィルタは、たとえば接着剤を用いてフィルタ枠に貼り付けることによって取り付けられている（たとえば、下記特許文献１、２、３を参照。）。
【０００４】
また、たとえばＩＲカットフィルタの端部に弾性を有する材料によって形成されたツメを係合させ、ツメによってＩＲカットフィルタをフィルタ枠に固定するようにした技術があった（たとえば、下記特許文献４、５を参照。）。具体的には、たとえばフィルタ枠を樹脂材料を用いた成型によって構成し、樹脂材料が有する弾性によるツメの弾性変形を利用してＩＲカットフィルタをフィルタ枠に固定している。
【０００５】
また従来、ＩＲカットフィルタを使用時の光路長とＩＲカットフィルタの不使用時の光路長とを等しくするために、ＩＲカットフィルタに加えてダミーフィルタを備えたものがあった。このような撮像装置は、可視光を用いた撮像に際してはＩＲカットフィルタを光路上に位置づけ、赤外光を用いての撮像に際してはダミーフィルタを光路上に位置づけるようにフィルタを移動させる（たとえば、下記特許文献６、７を参照。）。
【０００６】
【特許文献１】特開２００５−３２６７７７号公報
【特許文献２】特開２００３−３４８３９９号公報
【特許文献３】特開２００２−１８９２３８号公報
【特許文献４】特開２００２−２８１４００号公報
【特許文献５】特開２００２−１８９１５８号公報
【特許文献６】特開２０００−１６２６６８号公報
【特許文献７】特開平７−１０７３５５号公報
【発明の開示】
【発明が解決しようとする課題】
【０００７】
しかしながら、上述した従来の技術のように、ＩＲカットフィルタ（あるいはダミーフィルタ）を接着剤を用いてフィルタ枠に取り付ける場合、ツメを利用してフィルタを取り付ける場合と比較して作業工程数が多くなるという問題があった。また、撮像モードに応じてＩＲカットフィルタまたはダミーフィルタが光路上に位置づけられるようにフィルタ枠を移動させる撮像装置において、ＩＲカットフィルタやダミーフィルタが接着剤を用いてフィルタ枠に取り付けられている場合、フィルタ枠の移動に際しての振動や移動中にフィルタ枠が周囲の部材に接触するなどして外力が加わった際に接着剤が剥がれてフィルタがフィルタ枠から剥がれてしまう可能性があった。
【０００８】
また、上述した従来の技術のように、ツメを利用したフィルタの取り付けは、フィルタ枠を樹脂材料を用いた成型部品とした場合、十分な強度を確保するためにはフィルタ枠が大きくなる傾向がある。このため、このフィルタ枠を備えたレンズ装置あるいは当該レンズ装置を備えた撮像装置が大型化してしまうという問題があった。また、フィルタを固定するツメを設けるため、フィルタ枠の構造が複雑化し、フィルタ枠の製造が煩雑化し、フィルタ枠の製造にかかるコストが増加してしまうという問題があった。さらに、ツメを利用してフィルタを取り付ける場合、フィルタ枠およびツメにある程度の強度を持たせることによってフィルタ自体に大きな力が加わり、フィルタが割れるなどの破損が懸念される。
【０００９】
この発明は、上述した従来技術による問題点を解消するため、強度を低下させることなく小型化を図るとともに、フィルタを損傷することなくフィルタの取り付け作業の容易化を図ることができるフィルタ保持機構、レンズ装置および撮像装置を提供することを目的とする。
【課題を解決するための手段】
【００１０】
上述した課題を解決し、目的を達成するため、この発明にかかるフィルタ保持機構は、光路に沿って貫通する開口を備え、金属板金によって形成された基枠部と、前記開口を覆うように前記基枠部に対向配置された光学フィルタと、前記基枠部に設けられて、前記開口の周縁近傍から前記基枠部の板厚方向に突出するとともに先端が前記光学フィルタの端部を覆うように屈曲あるいは湾曲した形状からなり、前記先端を前記光学フィルタの端部に引っかけることによって前記光学フィルタを前記基枠部に係止する係止部と、を備え、前記係止部は、前記基枠部を形成する金属板金の曲げ加工によって前記基枠部に一体に形成されていることを特徴とする。
【００１１】
この発明によれば、基枠部および係止部を金属板金を用いて一体に形成することにより、強度を確保しつつフィルタ保持機構における板厚方向の寸法を小さくすることができる。また、係止部によって光学フィルタを基枠部に係止することにより、経時にかかわらず光学フィルタを安定して固定するとともに、接着剤を用いる場合と比較して光学フィルタの取り付けにかかる工程数を減少させることができる。
【００１２】
また、この発明にかかるフィルタ保持機構は、上記の発明において、前記係止部が、自身の弾性によって前記光学フィルタを前記基枠部側に付勢することを特徴とする。この発明によれば、金属板金の弾性によって光学フィルタを付勢することにより、基枠部に対する光学フィルタのがたつきを抑え、光学フィルタを基枠部に安定して固定することができる。
【００１３】
また、この発明にかかるフィルタ保持機構は、上記の発明において、前記係止部が、外力が加えられた状態においては前記光学フィルタが前記開口に対向する位置に位置するように変形可能であって、前記外力が加えられていない状態においては変形前の形状に復帰可能な弾性を有していることを特徴とする。
【００１４】
この発明によれば、金属板金の弾性を利用して、外力を加えることで係止部を変形させた状態で光学フィルタを開口に対向させ、その後は外力を加えない状態とするだけで光学フィルタを取り付けることができる。また、係止部を変形させて光学フィルタを開口に対向させることによって、光学フィルタの面方向に光学フィルタを移動させながら光学フィルタを取り付けることができるので、光学フィルタを損傷することなく取り付けることができる。
【００１５】
また、この発明にかかるフィルタ保持機構は、上記の発明において、前記係止部が、前記基枠部において前記光学フィルタが対向配置される部分を、前記基枠部の板厚方向に突出させることによって形成されていることを特徴とする。この発明によれば、係止部を高い精度で形成することができる。
【００１６】
また、この発明にかかるフィルタ保持機構は、上記の発明において、前記光学フィルタが、特定波長の光を吸収あるいは透過する第１の光学フィルタと、当該第１の光学フィルタに隣り合って配置されて前記第１の光学フィルタの使用時の光路長と不使用時の光路長とを等しくする第２の光学フィルタと、からなり、前記係止部は、前記第１の光学フィルタと前記第２の光学フィルタとの境界部近傍に設けられて、前記第１の光学フィルタおよび前記第２の光学フィルタの双方を前記基枠部に係止することを特徴とする。
【００１７】
この発明によれば、係止部に第１および第２の光学フィルタの先端を挿入した状態でそれぞれを境界部方向に押し込むだけで光学フィルタを取り付けることができる。また、取り付け後は、１つの係止部によって２つの光学フィルタを固定することができる。
【００１８】
また、この発明にかかるフィルタ保持機構は、上記の発明において、前記基枠部に一体に形成されて、前記第１の光学フィルタと前記第２の光学フィルタとの間から前記基枠部の板厚方向に突出した当接規制部を備えたことを特徴とする。
【００１９】
この発明によれば、取り付けに際して互いに接近する方向に押し込まれた第１および第２の光学フィルタを当接規制部に当接する位置で停止させることができるので、取り付けに際して光学フィルタ同士が当接することを防止することができる。また、取り付け後は、第１および第２の光学フィルタが当接することを防止し、第１および第２の光学フィルタが擦れ合うことによる第１および第２の光学フィルタの破損を防止することができる。
【００２０】
また、この発明にかかるフィルタ保持機構は、上記の発明において、前記基枠部に一体に形成されて、前記第１の光学フィルタおよび前記第２の光学フィルタの前記当接規制部とは反対側の端部から前記基枠部の板厚方向に突出した移動規制部を備えたことを特徴とする。この発明によれば、第１および第２の光学フィルタが互いに離間する方向へ移動することを防止し、第１および第２の光学フィルタの取り付け位置を安定化することができる。
【００２１】
また、この発明にかかるレンズ装置は、光路内に入射した外光を撮像用の光電変換素子に入射させるレンズ装置であって、上記のフィルタ保持機構と、前記フィルタ保持機構が保持する特定の光学フィルタが前記光路上に位置する第１の位置または前記特定の光学フィルタが前記光路上から退避する第２の位置に位置するように前記フィルタ保持機構を移動させるフィルタ駆動手段と、を備えたことを特徴とする。この発明によれば、小型化を図ったフィルタ保持機構を用いることによってレンズ装置の小型化を図ることができる。
【００２２】
また、この発明にかかる撮像装置は、入射した光の強度に応じた電気信号を出力する撮像用の光電変換素子と、前記撮像用の光電変換素子に外光を入射させるレンズ装置と、を備えた撮像装置であって、前記レンズ装置は、上記のフィルタ保持機構と、前記フィルタ保持機構が保持する特定の光学フィルタが前記光路上に位置する第１の位置または前記特定の光学フィルタが前記光路上から退避する第２の位置に位置するように前記フィルタ保持機構を移動させるフィルタ駆動手段と、を備えたことを特徴とする。この発明によれば、小型化を図ったフィルタ保持機構を用いることによって撮像装置の小型化を図ることができる。
【発明の効果】
【００２３】
本発明にかかるフィルタ保持機構、レンズ装置および撮像装置によれば、強度を低下させることなく小型化を図るとともに、フィルタを損傷することなくフィルタの取り付け作業の容易化を図ることができるという効果を奏する。
【発明を実施するための最良の形態】
【００２４】
以下に添付図面を参照して、この発明にかかるフィルタ保持機構、レンズ装置および撮像装置の好適な実施の形態を詳細に説明する。
【００２５】
（実施の形態１）
まず、この発明にかかる実施の形態１のレンズ装置の概略構成について説明する。図１は、この発明にかかる実施の形態１のレンズ装置の概略構成を示す断面図である。図１において、この発明にかかる実施の形態１のレンズ装置１００は、鏡筒１０１を備えている。鏡筒１０１は、光軸を軸心方向とする略円筒形状を有しており、主鏡筒１０２と後部鏡筒１０３とを光軸方向に連結することによって構成されている。
【００２６】
鏡筒１０１は、図示を省略する撮像装置の本体に設けられた図示を省略するマウントなどに取り付けられる。撮像装置の本体内には、撮像用の光電変換素子すなわち撮像素子が配置されている。撮像素子は、レンズ装置１００を介して受光した外光を光電変換し、入射光量に応じた電気信号を出力する。撮像素子は、具体的には、たとえばＣＣＤイメージセンサ（Ｃｈａｒｇｅ  Ｃｏｕｐｌｅｄ  Ｄｅｖｉｃｅ  Ｉｍａｇｅ  Ｓｅｎｓｏｒ）やＣＭＯＳイメージセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの固体撮像素子によって実現することができる。
【００２７】
主鏡筒１０２は、前群レンズ枠１０４に設けられた前群レンズ１０５を保持している。前群レンズ枠１０４は、主鏡筒１０２内において光軸方向にのみ移動可能に設けられている。主鏡筒１０２の外周側には、フォーカスリング１０６が設けられている。フォーカスリング１０６は主鏡筒１０２の外周側において光軸周りに回転可能とされており、前群レンズ枠１０４すなわち前群レンズ１０５はフォーカスリング１０６の回転にともなって光軸方向に移動する。
【００２８】
レンズ装置１００においては、フォーカスリング１０６を回転することによって光軸方向における前群レンズ１０５の位置を調整し、レンズ装置１００のフォーカス調整をおこなうことができる。フォーカスリング１０６の回転にともなって前群レンズ枠１０４を光軸方向に移動させる構成については、公知の技術であるためその説明は省略する。
【００２９】
フォーカスリング１０６には、主鏡筒１０２に対するフォーカスリング１０６の位置を固定するフォーカスロックビス１０７が設けられている。フォーカスロックビス１０７は、緩めた状態においてフォーカスリング１０６を回転可能とし、締め込んだ状態において主鏡筒１０２に対するフォーカスリング１０６の位置を固定する。これによって、フォーカス調整後の前群レンズ１０５の位置を固定することができる。
【００３０】
後部鏡筒１０３は、後群レンズ枠１０８に設けられた後群レンズ１０９を保持している。後群レンズ枠１０８は、後部鏡筒１０３内において光軸方向にのみ移動可能に設けられている。後部鏡筒１０３の外周側には、ズームリング１１０が設けられている。ズームリング１１０は後部鏡筒１０３の外周側において光軸周りに回転可能とされており、後群レンズ枠１０８すなわち後群レンズ１０９はズームリング１１０の回転にともなって光軸方向に移動する。
【００３１】
レンズ装置１００においては、ズームリング１１０を回転することによって光軸方向における後群レンズ１０９の位置を調整し、レンズ装置１００のズーム調整をおこなうことができる。ズームリング１１０の回転にともなって後群レンズ枠１０８を光軸方向に移動させる構成については、公知の技術であるためその説明は省略する。
【００３２】
ズームリング１１０には、後部鏡筒１０３に対するズームリング１１０の位置を固定するズームロックビス１１１が設けられている。ズームロックビス１１１は、緩めた状態においてズームリング１１０を回転可能とし、締め込んだ状態において後部鏡筒１０３に対するズームリング１１０の位置を固定する。これによって、ズーム調整後の後群レンズ１０９の位置を固定することができる。
【００３３】
主鏡筒１０２と後部鏡筒１０３との間には、アイリスユニット１１２およびフィルタ保持機構１１３が設けられている（図２を参照）。アイリスユニット１１２はフィルタ保持機構１１３よりも後部鏡筒１０３側に設けられており、フィルタ保持機構１１３はアイリスユニット１１２よりも主鏡筒１０２側に設けられている。フィルタ保持機構１１３は、鏡筒１０１およびアイリスユニット１１２によって囲まれるフィルタ枠移動領域１１４内に設けられている。
【００３４】
図２は、この実施の形態１のレンズ装置１００の概略構成を示す分解斜視図である。図２において、アイリスユニット１１２は、絞り開口形成部２０１とアイリスモータ２０２とを備えている。絞り開口形成部２０１は、絞り開口を形成する複数枚の絞り羽根（図示を省略する）を備えている。絞り開口形成部２０１は、たとえば２枚の絞り羽根を備えており、各絞り羽根をそれぞれ相反する方向にスライドさせることによって絞り開口の大きさを調整することができる。
【００３５】
アイリスモータ２０２は、２枚の絞り羽根を相反する方向に移動させる駆動力を発生する。アイリスユニット１１２は、鏡筒１０１内に入射した光量に応じてアイリスモータ２０２を駆動して絞り羽根をスライドさせ、絞り開口形成部２０１における絞り開口の開口径を変化させる。アイリスユニット１１２は、複数枚の絞り羽根に代えて、開口径が固定された絞り開口を有する板状部材を備えた構成であってもよい。
【００３６】
絞り開口形成部２０１は、光軸に直交する面内においてフィルタ摺動レールの間に設けられる。これにより、光軸に直交する面内における絞り開口形成部２０１の位置を固定することができるので、アイリスユニット１１２の位置決めをおこなうことができる。
【００３７】
フィルタ保持機構１１３は板形状を有しており、フィルタ保持機構１１３を板厚方向に貫通する２つの開口（図３における符号３０５、３０６を参照）を備えている。２つの開口は、アイリスユニット１１２における絞り羽根のスライド方向に沿って配列されている。またフィルタ保持機構１１３は、ＩＲカットフィルタ２０６とダミーフィルタ２０７とを備えている。この実施の形態においては、ＩＲカットフィルタ２０６によって第１の光学フィルタが実現され、ダミーフィルタ２０７によって第２の光学フィルタが実現されている。フィルタ保持機構１１３の構成や、フィルタ保持機構１１３におけるＩＲカットフィルタ２０６およびダミーフィルタ２０７の保持機構などについては後述する。
【００３８】
ＩＲカットフィルタ２０６は、可視光を透過し赤外光を吸収する。ダミーフィルタ２０７は、全波長域における入射光を透過し、ダミーフィルタ２０７を透過した光の結像位置をＩＲカットフィルタ２０６の結像位置と一致させる。ＩＲカットフィルタ２０６およびダミーフィルタ２０７は、それぞれ対応する開口（図３における符号３０５、３０６を参照）を覆うように設けられている。
【００３９】
フィルタ保持機構１１３は、後部鏡筒１０３に設けられた図示を省略するフィルタ摺動レールに沿って摺動（スライド）可能とされている。フィルタ摺動レールは、フィルタ保持機構１１３における２つの開口の配列方向を長手方向として設けられている。フィルタ保持機構１１３は、駆動手段としてのＩＲモータ２０９が発生する駆動力が加えられた場合に、フィルタ摺動レールに沿ってスライド可能とされている。すなわち、フィルタ保持機構１１３は光路を横切る方向に移動可能とされている。
【００４０】
主鏡筒１０２は、図示を省略するフィルタ押さえレールを備えている。フィルタ押さえレールは、光軸方向においてフィルタ摺動レールに対向する位置に設けられている。鏡筒１０１は、主鏡筒１０２と後部鏡筒１０３とに分割されており、フィルタ摺動レールおよびフィルタ押さえレールは主鏡筒１０２と後部鏡筒１０３との対向面に設けられている。
【００４１】
フィルタ摺動レールおよびフィルタ押さえレールは、主鏡筒１０２と後部鏡筒１０３とが組み合わされて鏡筒を形成する場合に、フィルタ保持機構１１３を間にして対向する。フィルタ摺動レールとフィルタ押さえレールとは、フィルタ保持機構１１３の板厚方向における寸法と同等あるいは若干広い間隔で対向している。フィルタ保持機構１１３は、フィルタ摺動レールとフィルタ押さえレールとの間においてフィルタ摺動レールによってガイドされた状態でフィルタ摺動レールに沿ってスライド可能とされている。
【００４２】
フィルタ保持機構１１３は、ＩＲモータ２０９に連結される連結部２１０を備えている。連結部２１０には、ＩＲモータ２０９が備える図示を省略する駆動軸に連結されるスリット２１０ａが設けられている。これにより、ＩＲモータ２０９が回転駆動すると、当該回転駆動に連動して連結部２１０を介してＩＲモータ２０９に連結されたフィルタ保持機構１１３を、光路を横切る方向に移動させることができる。この実施の形態１においては、ＩＲモータ２０９、連結部２１０、スリット２１０ａなどによってフィルタ駆動手段を実現することができる。
【００４３】
このような構成によって、レンズ装置１００は、可視光を用いての撮像に際してはＩＲモータ２０９によってフィルタ保持機構１１３を駆動して、ＩＲカットフィルタ２０６が光路上に位置するようにフィルタ保持機構１１３をスライドさせる。これによって赤外領域以外の光が後群レンズ群に入射し、可視光を用いた撮像をおこなうことができる。
【００４４】
また、レンズ装置１００は、赤外光を用いての撮像に際してはＩＲモータ２０９によってフィルタ保持機構１１３を駆動して、ダミーフィルタ２０７が光路上に位置するようにフィルタ保持機構１１３をスライドさせる。これによって赤外光を用いた撮像をおこなうことができる。
【００４５】
つぎに、この発明にかかる実施の形態１のフィルタ保持機構１１３について説明する。図３、図４および図５は、この発明にかかる実施の形態１のフィルタ保持機構１１３を示す説明図である。図３においてはフィルタ保持機構１１３を正面から見た状態を示し、図４においてはフィルタ保持機構１１３を側面から見た状態を示し、図５においてはフィルタ保持機構１１３を図４に直交する側面から見た状態を示している。図３、図４および図５において、この発明にかかる実施の形態１のフィルタ保持機構１１３は、基枠部としてのフィルタ枠３０１と、第１の光学フィルタとしてのＩＲカットフィルタ２０６と、第２の光学フィルタとしてのダミーフィルタ２０７と、係止部としてのフック部３０２と、当接規制部３０３と、移動規制部３０４と、を備えている。
【００４６】
フィルタ枠３０１は、金属板金を用いて形成され、光軸方向を板厚方向とした平板形状からなる。フィルタ枠３０１は、光路に沿ってフィルタ枠３０１を板厚方向に貫通する開口３０５、３０６を備えている。フィルタ枠３０１は、金属板金の打ち抜き加工によって形成されている。ＩＲカットフィルタ２０６およびダミーフィルタ２０７は、それぞれ、開口３０５、３０６を覆うようにしてフィルタ枠３０１に対向配置されている。
【００４７】
フック部３０２は、各開口３０５、３０６の周縁近傍からフィルタ枠３０１の板厚方向に突出している。フック部３０２は、ＩＲカットフィルタ２０６あるいはダミーフィルタ２０７を間にして対向するように対をなしている。この実施の形態１のフィルタ保持機構１１３は、ＩＲカットフィルタ２０６およびダミーフィルタ２０７の配列方向（以下「フィルタの配列方向」という）に沿って、間隔を空けた状態で、３対のフック部３０２が設けられている。３対のフック部３０２は、フィルタの配列方向に直交する方向において各々対をなすように設けられている。
【００４８】
フック部３０２は、具体的には、フィルタの配列方向に直交する方向において、ＩＲカットフィルタ２０６およびダミーフィルタ２０７の端部となる位置からフィルタ枠３０１の板厚方向に突出していることが好ましい。これによってフィルタの配列方向におけるＩＲカットフィルタ２０６およびダミーフィルタ２０７のがたつきを抑制し、ＩＲカットフィルタ２０６およびダミーフィルタ２０７をフィルタ枠３０１に安定して取り付けることができる。
【００４９】
フック部３０２は、フィルタ枠３０１を形成する金属板金に対して曲げ加工をおこなうことによって、フィルタ枠３０１に一体に形成されている。フック部３０２の先端は、それぞれ、ＩＲカットフィルタ２０６あるいはダミーフィルタ２０７の少なくとも一方の端部を覆うように屈曲している。フック部３０２は、ＩＲカットフィルタ２０６およびダミーフィルタ２０７の外形に沿って９０度に屈曲している。フック部３０２は、屈曲した先端をＩＲカットフィルタ２０６あるいはダミーフィルタ２０７の少なくとも一方の端部に引っかけることによって、ＩＲカットフィルタ２０６あるいはダミーフィルタ２０７の少なくとも一方をフィルタ枠３０１に係止している。
【００５０】
フック部３０２は、ＩＲカットフィルタ２０６およびダミーフィルタ２０７を係止した状態において、フック部３０２自身の弾性によってＩＲカットフィルタ２０６およびダミーフィルタ２０７側（開口３０５、３０６側）に倒れ込むように形成されている。これによって、ＩＲカットフィルタ２０６およびダミーフィルタ２０７は、フック部３０２の弾性によってフィルタ枠３０１側に押しつけられるように付勢されている。
【００５１】
フック部３０２は、９０度に屈曲した形状に限るものではなく、先端がフィルタ枠３０１側に戻るように鋭角に屈曲した形状であってもよい。また、フック部３０２の先端は、屈曲した形状に限るものではなく、それぞれがＩＲカットフィルタ２０６あるいはダミーフィルタ２０７の少なくとも一方の端部を覆うように湾曲した形状であってもよい。
【００５２】
フィルタ枠３０１において、開口３０５、３０６の間には、フィルタ枠３０１の板厚方向に突出する当接規制部３０３が設けられている。当接規制部３０３は、フィルタ枠３０１に一体に形成されており、フィルタ枠３０１と同じ金属板金によって形成されている。ＩＲカットフィルタ２０６およびダミーフィルタ２０７は、当接規制部３０３を間にした状態で隣り合って配設されており、当接規制部３０３によって互いが接触することが規制されている。これによって、ＩＲカットフィルタ２０６およびダミーフィルタ２０７が接触した状態で擦れ合うなどして、ＩＲカットフィルタ２０６あるいはダミーフィルタ２０７に傷が生じたり、ＩＲカットフィルタ２０６あるいはダミーフィルタ２０７が破損することが防止される。
【００５３】
また、フィルタ枠３０１において、各開口部の周縁近傍であって各開口３０５、３０６を間にして当接規制部３０３とは反対側には、フィルタ枠３０１の板厚方向に突出する移動規制部３０４が設けられている。移動規制部３０４は、フィルタ枠３０１に一体に形成されており、フィルタ枠３０１と同じ金属板金によって形成されている。移動規制部３０４は、ＩＲカットフィルタ２０６およびダミーフィルタ２０７が当接規制部３０３から離間する方向への移動を規制する。
【００５４】
つぎに、フィルタ保持機構１１３におけるＩＲカットフィルタ２０６およびダミーフィルタ２０７の取り付け方法について説明する。図６−１、図６−２、図６−３、図６−４、図６−５および図６−６は、この発明にかかる実施の形態１のフィルタ保持機構１１３におけるＩＲカットフィルタ２０６およびダミーフィルタ２０７の取り付け方法を示す説明図である。図６−１、図６−２、図６−３、図６−４、図６−５および図６−６においては、フィルタ保持機構１１３を正面から見た状態、および、フィルタ保持機構１１３をＩＲカットフィルタ２０６とダミーフィルタ２０７との配列方向に直交する側面から見た状態を示している。
【００５５】
図６−１、図６−２、図６−３、図６−４、図６−５および図６−６において、フィルタ保持機構１１３におけるＩＲカットフィルタ２０６およびダミーフィルタ２０７の取り付けに際しては、図示を省略する治具によってフィルタ枠３０１を固定した状態で、ＩＲカットフィルタ２０６およびダミーフィルタ２０７の取り付け位置を開放するようにフック部３０２を変形させる（図６−１および図６−２を参照）。フック部３０２は、たとえばフィルタ枠３０１に専用の治具を嵌め込むことによって変形させるとよい。
【００５６】
つぎに、フック部３０２を変形させた状態で、ＩＲカットフィルタ２０６およびダミーフィルタ２０７を、それぞれ該当する位置に対向させる。ＩＲカットフィルタ２０６が該当する位置は開口３０５に正対する位置とし、ダミーフィルタ２０７が該当する位置は開口３０６に正対する位置とすることができる。そして、対向させた状態からフィルタ枠３０１に近づけるように移動させ、ＩＲカットフィルタ２０６およびダミーフィルタ２０７を、それぞれフィルタ枠３０１における該当する位置に載置する（図６−３、図６−４および図６−５を参照）。
【００５７】
その後、フック部３０２を元の形状に戻し、フック部３０２によってＩＲカットフィルタ２０６およびダミーフィルタ２０７を固定する（図６−６を参照）。フック部３０２を元の形状に戻す際には、たとえばフィルタ枠３０１に嵌め込んだ専用の治具を取り外し、フック部３０２自身の弾性によって元の形状に復帰させるとよい。これによって、フック部３０２を容易に元の形状に戻すことができる。
【００５８】
このようにフック部３０２は、外力が加えられた状態においてはＩＲカットフィルタ２０６およびダミーフィルタ２０７が開口３０５、３０６に対向する位置に位置するように変形可能であって、外力が加えられていない状態においては変形前の形状に復帰可能な弾性を有している。フック部３０２の弾性は、フック部３０２と一体化されたフィルタ枠３０１を形成する金属板金（金属）が有する弾性に起因する。すなわち、フック部３０２を変形させるために構造を複雑化したり、変形したフック部３０２を元の形状に復帰させるために構造を複雑化したりすることなく、ＩＲカットフィルタ２０６およびダミーフィルタ２０７を安定して固定することができる。
【００５９】
以上説明したように、この実施の形態１のフィルタ保持機構１１３によれば、光路に沿って貫通する開口３０５、３０６を備え、金属板金によって形成された基枠部の一例としてのフィルタ枠３０１と、開口３０５、３０６を覆うようにフィルタ枠３０１に対向配置された光学フィルタの一例としてのＩＲカットフィルタ２０６およびダミーフィルタ２０７と、フィルタ枠３０１に設けられて、開口３０５、３０６の周縁近傍からフィルタ枠３０１の板厚方向に突出するとともに先端がＩＲカットフィルタ２０６およびダミーフィルタ２０７の端部を覆うように屈曲した形状からなり、先端をＩＲカットフィルタ２０６およびダミーフィルタ２０７の端部に引っかけることによってＩＲカットフィルタ２０６およびダミーフィルタ２０７をフィルタ枠３０１に係止する係止部の一例としてのフック部３０２と、を備え、フック部３０２が、フィルタ枠３０１を形成する金属板金の曲げ加工によってフィルタ枠３０１に一体に形成されていることを特徴とするため、フィルタ枠３０１およびフック部３０２を金属板金を用いて一体に形成することにより、強度を確保しつつフィルタ保持機構１１３における板厚方向の寸法を小さくすることができる。
【００６０】
また、この実施の形態１のフィルタ保持機構１１３によれば、フック部３０２によってＩＲカットフィルタ２０６およびダミーフィルタ２０７をフィルタ枠３０１に係止することにより、経時にかかわらずＩＲカットフィルタ２０６およびダミーフィルタ２０７を安定して固定するとともに、接着剤を用いる場合と比較してＩＲカットフィルタ２０６およびダミーフィルタ２０７の取り付けにかかる工程数を減少させることができる。
【００６１】
また、この実施の形態１のフィルタ保持機構１１３によれば、フック部３０２が、自身の弾性によってＩＲカットフィルタ２０６およびダミーフィルタ２０７をフィルタ枠３０１側に付勢することを特徴とするため、金属板金の弾性によってＩＲカットフィルタ２０６およびダミーフィルタ２０７を付勢することにより、フィルタ枠３０１に対するＩＲカットフィルタ２０６およびダミーフィルタ２０７のがたつきを抑え、ＩＲカットフィルタ２０６およびダミーフィルタ２０７をフィルタ枠３０１に安定して固定することができる。
【００６２】
また、この実施の形態１のフィルタ保持機構１１３によれば、フック部３０２が、外力が加えられた状態においてはＩＲカットフィルタ２０６およびダミーフィルタ２０７が開口３０５、３０６に対向する位置に位置するように変形可能であって、外力が加えられていない状態においては変形前の形状に復帰可能な弾性を有していることを特徴とするため、金属板金の弾性を利用して、外力を加えることでフック部３０２を変形させた状態でＩＲカットフィルタ２０６およびダミーフィルタ２０７を開口３０５、３０６に対向させ、その後は外力を加えない状態とするだけでＩＲカットフィルタ２０６およびダミーフィルタ２０７を取り付けることができる。これによって、ＩＲカットフィルタ２０６およびダミーフィルタ２０７の取り付け作業の容易化および作業性の向上を図ることができる。
【００６３】
また、この実施の形態１のフィルタ保持機構１１３によれば、フィルタ枠３０１に正対した状態のＩＲカットフィルタ２０６およびダミーフィルタ２０７を、フィルタ枠３０１に対して接近させるようにフィルタ枠３０１の板厚方向（光軸方向）に沿って移動させて取り付けることができるので、ＩＲカットフィルタ２０６およびダミーフィルタ２０７の取り付けに際して、ＩＲカットフィルタ２０６およびダミーフィルタ２０７のフィルタ面がフィルタ枠３０１などに当接することを防止できる。フィルタ面は、フィルタ保持機構１１３に取り付けられた状態のＩＲカットフィルタ２０６およびダミーフィルタ２０７において、それぞれ開口３０５、３０６に対向する位置であって、レンズ装置１００に入射した光が通過する光路上に位置付けられる領域とするとよい。
【００６４】
これによって、ＩＲカットフィルタ２０６およびダミーフィルタ２０７のフィルタ面がフィルタ枠３０１などに擦れることを防止し、擦れによる擦り傷が生じることを防止できる。そして、これによって光学性能に悪影響を及ぼすことなく、ＩＲカットフィルタ２０６およびダミーフィルタ２０７の取り付けをおこなうことができる。
【００６５】
また、この実施の形態１のフィルタ保持機構１１３によれば、フック部３０２を変形させてＩＲカットフィルタ２０６およびダミーフィルタ２０７を開口３０５、３０６に対向させることによって、ＩＲカットフィルタ２０６およびダミーフィルタ２０７の面方向にＩＲカットフィルタ２０６およびダミーフィルタ２０７を移動させながら、ＩＲカットフィルタ２０６およびダミーフィルタ２０７を取り付けることができるので、ＩＲカットフィルタ２０６およびダミーフィルタ２０７を損傷することなく取り付けることができる。
【００６６】
また、この実施の形態１のフィルタ保持機構１１３によれば、フィルタ枠３０１に一体に形成されて、ＩＲカットフィルタ２０６とダミーフィルタ２０７との間からフィルタ枠３０１の板厚方向に突出した当接規制部３０３を備えたことを特徴とするため、取り付けに際して互いに接近する方向に押し込まれたＩＲカットフィルタ２０６およびダミーフィルタ２０７を当接規制部３０３に当接する位置で停止させることができるので、取り付けに際してＩＲカットフィルタ２０６とダミーフィルタ２０７とが当接することを防止することができ、ＩＲカットフィルタ２０６とダミーフィルタ２０７とが当接することによってＩＲカットフィルタ２０６とダミーフィルタ２０７に擦り傷がついたり破損したりすることを防止できる。
【００６７】
また、この実施の形態１のフィルタ保持機構１１３によれば、ＩＲカットフィルタ２０６およびダミーフィルタ２０７の取り付け後は、ＩＲカットフィルタ２０６およびダミーフィルタ２０７が当接することを当接規制部３０３によって簡易な構成によって防止することができる。これによって、ＩＲカットフィルタ２０６およびダミーフィルタ２０７が擦れ合うことによるＩＲカットフィルタ２０６およびダミーフィルタ２０７の破損を防止することができる。
【００６８】
また、この実施の形態１のフィルタ保持機構１１３によれば、フィルタ枠３０１に一体に形成されて、ＩＲカットフィルタ２０６およびダミーフィルタ２０７の当接規制部３０３とは反対側の端部からフィルタ枠３０１の板厚方向に突出した移動規制部３０４を備えたことを特徴とするため、ＩＲカットフィルタ２０６およびダミーフィルタ２０７が互いに離間する方向へ移動することを防止し、ＩＲカットフィルタ２０６およびダミーフィルタ２０７の取り付け位置を安定化することができる。
【００６９】
また、この実施の形態１のフィルタ保持機構１１３を備えるレンズ装置１００は、光路内に入射した外光を撮像用の光電変換素子に入射させるレンズ装置１００であって、フィルタ保持機構１１３と、フィルタ保持機構１１３が保持する特定の光学フィルタの一例としてのＩＲカットフィルタ２０６が光路上に位置する第１の位置またはＩＲカットフィルタ２０６が光路上から退避する第２の位置に位置するように、フィルタ保持機構１１３を移動させるフィルタ駆動手段と、を備えたことを特徴とするため、小型化を図ったフィルタ保持機構１１３を用いることによってレンズ装置１００の小型化を図ることができる。
【００７０】
また、この実施の形態１のフィルタ保持機構１１３を備える撮像装置は、入射した光の強度に応じた電気信号を出力する撮像用の光電変換素子と、撮像用の光電変換素子に外光を入射させるレンズ装置１００と、を備えた撮像装置であって、レンズ装置１００が、フィルタ保持機構１１３と、フィルタ保持機構１１３が保持するＩＲカットフィルタ２０６が光路上に位置する第１の位置またはＩＲカットフィルタ２０６が光路上から退避する第２の位置に位置するように、フィルタ保持機構１１３を移動させるフィルタ駆動手段と、を備えたことを特徴とするため、小型化を図ったレンズ装置１００を用いることによって撮像装置の小型化を図ることができる。
【００７１】
（実施の形態２）
つぎに、この発明にかかる実施の形態２のフィルタ保持機構について説明する。実施の形態２においては、実施の形態１と同一部分は同一符号で示し、説明を省略する。図７、図８および図９は、この発明にかかる実施の形態２のフィルタ保持機構を示す説明図である。図７においてはフィルタ保持機構を正面から見た状態を示し、図８においてはフィルタ保持機構を側面から見た状態を示し、図９においてはフィルタ保持機構を図８に直交する側面から見た状態を示している。図７、図８および図９において、この発明にかかる実施の形態２のフィルタ保持機構７００は、基枠部としてのフィルタ枠３０１と、第１の光学フィルタとしてのＩＲカットフィルタ２０６と、第２の光学フィルタとしてのダミーフィルタ２０７と、係止部としてのフック部７０１と、当接規制部３０３と、移動規制部３０４と、を備えている。
【００７２】
フック部７０１は、ＩＲカットフィルタ２０６とダミーフィルタ２０７との境界部近傍に設けられており、当該境界部近傍からフィルタ枠３０１の板厚方向に突出している。フック部７０１の先端はＩＲカットフィルタ２０６およびダミーフィルタ２０７の双方を覆うように屈曲しており、屈曲した先端をＩＲカットフィルタ２０６およびダミーフィルタ２０７に係止することによってＩＲカットフィルタ２０６およびダミーフィルタ２０７の双方をフィルタ枠３０１に固定している。
【００７３】
また、フック部７０１は、境界部近傍であって、かつ、フィルタの配列方向に直交する方向においてＩＲカットフィルタ２０６およびダミーフィルタ２０７の端部となる位置からフィルタ枠３０１の板厚方向に突出していることが好ましい。これによってフィルタの配列方向におけるＩＲカットフィルタ２０６およびダミーフィルタ２０７のがたつきを、一対のフック部７０１によって抑制することができる。フック部７０１を境界部近傍に設けることによって、１つのフック部７０１によってＩＲカットフィルタ２０６およびダミーフィルタ２０７の双方を固定することができる。
【００７４】
つぎに、フィルタ保持機構７００におけるＩＲカットフィルタ２０６およびダミーフィルタ２０７の取り付け方法について説明する。図１０−１、図１０−２および図１０−３は、この発明にかかる実施の形態２のフィルタ保持機構７００におけるＩＲカットフィルタ２０６およびダミーフィルタ２０７の取り付け方法を示す説明図である。図１０−１、図１０−２および図１０−３においては、この発明にかかる実施の形態２のフィルタ保持機構７００を正面から見た状態、および、この発明にかかる実施の形態２のフィルタ保持機構７００をＩＲカットフィルタ２０６とダミーフィルタ２０７との配列方向に直交する側面から見た状態を示している。
【００７５】
図１０−１、図１０−２および図１０−３において、この発明にかかる実施の形態２のフィルタ保持機構７００におけるＩＲカットフィルタ２０６およびダミーフィルタ２０７の取り付けに際しては、図示を省略する治具によってフィルタ枠３０１を固定した状態（図１０−１を参照）で、フィルタの配列方向における、ＩＲカットフィルタ２０６およびダミーフィルタ２０７の先端部がフック部７０１に挿入されるように、ＩＲカットフィルタ２０６およびダミーフィルタ２０７を移動させる。これにより、ＩＲカットフィルタ２０６およびダミーフィルタ２０７は、それぞれ、配列方向における先端部からフック部７０１に挿入され、かつ、互いが近接する方向に移動する。すなわち、ＩＲカットフィルタ２０６およびダミーフィルタ２０７は、それぞれ、配列方向に沿って当接規制部に向かって移動する（図１０−２を参照）。
【００７６】
そして、ＩＲカットフィルタ２０６およびダミーフィルタ２０７の先端部がフック部７０１に挿入された状態で、フック部７０１を支点として、ＩＲカットフィルタ２０６およびダミーフィルタ２０７における移動規制部３０４側の端部がフィルタ枠３０１に近接するように、ＩＲカットフィルタ２０６およびダミーフィルタ２０７を変位させる。ＩＲカットフィルタ２０６およびダミーフィルタ２０７を変位させると、当該変位にともなってフック部７０１が、ＩＲカットフィルタ２０６およびダミーフィルタ２０７の端部によって押し開かれ、押し開かれることによって生じる余裕を利用してＩＲカットフィルタ２０６およびダミーフィルタ２０７を、さらに当接規制部３０３側に移動させることができる。
【００７７】
その後、ＩＲカットフィルタ２０６およびダミーフィルタ２０７の移動規制部３０４側の端部がフィルタ枠３０１に当接した状態となると、変形していたフック部７０１が自身の弾性によって元の形状に復帰する（図１０−３を参照）。ＩＲカットフィルタ２０６およびダミーフィルタ２０７を、このように固定することによってフック部７０１を容易に変形させるとともに、フック部７０１を容易に元の形状に戻すことができ、ＩＲカットフィルタ２０６およびダミーフィルタ２０７の取り付け作業の容易化を図ることができる。
【００７８】
また、このような取り付け方法によってＩＲカットフィルタ２０６およびダミーフィルタ２０７をフィルタ枠３０１に取り付けることにより、ＩＲカットフィルタ２０６およびダミーフィルタ２０７とフック部７０１とが擦れ合い、ＩＲカットフィルタ２０６およびダミーフィルタ２０７が損傷することを極力少なくすることができる。
【００７９】
以上説明したように、この実施の形態２によれば、特定波長（赤外領域波長の光）の光を吸収する第１の光学フィルタの一例としてのＩＲカットフィルタ２０６と、ＩＲカットフィルタ２０６に隣り合って配置されてＩＲカットフィルタ２０６の使用時の光路長と不使用時の光路長とを等しくする第２の光学フィルタの一例としてのダミーフィルタ２０７と、からなり、フック部７０１がＩＲカットフィルタ２０６とダミーフィルタ２０７との境界部近傍に設けられて、ＩＲカットフィルタ２０６およびダミーフィルタ２０７の双方をフィルタ枠３０１に係止することを特徴とするため、フック部３０２にＩＲカットフィルタ２０６とダミーフィルタ２０７の先端を挿入した状態でそれぞれを境界部方向に押し込むだけで光学フィルタを取り付けることができる。また、取り付け後は、１つの係止部によって２つの光学フィルタを固定することができる。
【００８０】
（実施の形態３）
つぎに、この発明にかかる実施の形態３のフィルタ保持機構について説明する。実施の形態３においては、実施の形態１、２と同一部分は同一符号で示し、説明を省略する。図１１は、この発明にかかる実施の形態３のフィルタ保持機構を示す説明図である。図１１においては、この発明にかかる実施の形態３のフィルタ保持機構７００を、ＩＲカットフィルタ２０６とダミーフィルタ２０７との配列方向に直交する側面から見た断面を示している。
【００８１】
図１１において、この発明にかかる実施の形態３のフィルタ保持機構１１００は、フック部１１０１を備えている。フィルタ保持機構１１００の板厚方向においてフィルタ枠３０１とフック部１１０１との間に形成されるスペース１１０２の、フィルタ枠３０１の板厚方向における寸法（図１１における符号Ｃ１を参照）は、ＩＲカットフィルタ２０６およびダミーフィルタ２０７の光軸方向における寸法（厚み寸法、図１１における符号Ｃ２を参照）よりも小さい。ＩＲカットフィルタ２０６およびダミーフィルタ２０７は、それぞれ、スペース１１０２に対して圧入されている。また、ＩＲカットフィルタ２０６およびダミーフィルタ２０７は、それぞれ、上記の実施の形態２と同じ方向からフック部１１０１に圧入されている。
【００８２】
これによって、ＩＲカットフィルタ２０６およびダミーフィルタ２０７は、フック部１１０１の弾性ではなく、圧入時の形状から復帰しようとするＩＲカットフィルタ２０６およびダミーフィルタ２０７の復元力によってフック部１１０１に当接することとなる。フック部１１０１は、この当接力を利用してＩＲカットフィルタ２０６およびダミーフィルタ２０７を固定（保持）している。このように、この発明にかかる実施の形態３のフィルタ保持機構１１００によれば、ＩＲカットフィルタ２０６およびダミーフィルタ２０７を確実に保持することができる。
【００８３】
（実施の形態４）
つぎに、この発明にかかる実施の形態４のフィルタ保持機構について説明する。実施の形態４においては、実施の形態１、２、３と同一部分は同一符号で示し、説明を省略する。図１２は、この発明にかかる実施の形態４のフィルタ保持機構を示す説明図である。図１２においては、この発明にかかる実施の形態４のフィルタ保持機構７００を、ＩＲカットフィルタ２０６とダミーフィルタ２０７との配列方向に直交する側面から見た状態を示している。
【００８４】
図１２において、この発明にかかる実施の形態４のフィルタ保持機構１２００は、フック部１２０１を備えている。フック部１２０１は、フィルタの配列方向に沿って、間隔を空けた状態で、複数対設けられている。複数対のフック部１２０１は、フィルタの配列方向に直交する方向において各々対をなすように設けられている。
【００８５】
フィルタ保持機構１２００の板厚方向においてフィルタ枠３０１とフック部１２０１との間に形成されるスペース１２０２の、フィルタ枠３０１の板厚方向における寸法（図１２における符号Ｄ１を参照）は、それぞれ、固定対象とするフィルタ（ＩＲカットフィルタ２０６あるいはダミーフィルタ２０７）の光軸方向における寸法（厚み寸法、図１１における符号Ｄ２を参照）よりも大きい。ＩＲカットフィルタ２０６およびダミーフィルタ２０７は、それぞれ、フック部１２０１を変形させることによってフィルタ保持機構１２００に取り付けられている。
【００８６】
フィルタ保持機構１２００に取り付けられた状態のＩＲカットフィルタ２０６およびダミーフィルタ２０７は、それぞれ、スペース１２０２内において、光軸方向に沿ってフィルタ枠３０１から所定距離以上移動することがないように、フック部１２０１によって位置が規制されている。すなわち、ＩＲカットフィルタ２０６およびダミーフィルタ２０７は、フィルタ枠３０１方向へ押し付ける付勢力をフック部１２０１から受けることなく、光軸方向に沿ってフィルタ枠３０１から所定距離以上移動することがないように、フック部１２０１によってフィルタ枠３０１に取り付けられている。
【００８７】
これによって、フィルタ枠３０１に取り付けた後は、ＩＲカットフィルタ２０６およびダミーフィルタ２０７に対して外力を加えることがないので、押さえ付けることによるＩＲカットフィルタ２０６およびダミーフィルタ２０７の破損や変形などを防止しつつ、ＩＲカットフィルタ２０６およびダミーフィルタ２０７を確実に保持することができる。
【００８８】
（実施の形態５）
つぎに、この発明にかかる実施の形態５のフィルタ保持機構について説明する。実施の形態５においては、実施の形態１、２、３および４と同一部分は同一符号で示し、説明を省略する。図１３および図１４は、この発明にかかる実施の形態５のフィルタ保持機構を示す説明図である。図１３においては、この発明にかかる実施の形態５のフィルタ保持機構を正面から見た状態、および、この発明にかかる実施の形態５のフィルタ保持機構のＥ−Ｅ断面を示している。図１４においては、この発明にかかる実施の形態５のフィルタ保持機構のＥ−Ｅ断面の一部を拡大して示している。
【００８９】
図１３および図１４において、この発明にかかる実施の形態５のフィルタ保持機構１３００は、フック部１３０１を備えている。フック部１３０１は、フィルタ枠３０１における所定の箇所を、フィルタ枠３０１の板厚方向に沿って、当該フィルタ枠３０１においてフック部１３０１が突出すべき側に押し出すことによって形成されている。所定の箇所は、具体的には、曲げ加工を施す前のフィルタ枠３０１（フィルタ枠３０１となる金属板金）において、ＩＲカットフィルタ２０６およびダミーフィルタ２０７が対向配置される部分とするとよい。
【００９０】
フック部１３０１は、フィルタ枠３０１におけるフック部１３０１となる箇所を、フィルタ枠３０１の板面から押し出すような曲げ加工を施すことによって形成されている。フック部１３０１は、フィルタ枠３０１におけるフック部１３０１となる箇所を、フィルタ枠３０１の板面から押し出すような曲げ加工が施されることによって、フィルタ保持機構１３００の板厚方向におけるフィルタ枠３０１とフック部１３０１との間にスペース１３０２を形成している。
【００９１】
フィルタ保持機構１３００においては、スペース１３０２の内側からフック部１３０１を形成している。図１４において、符号Ｅ１は、スペース１３０２の、フィルタ枠３０１の板厚方向における寸法を示している。
【００９２】
ここで、図１５および図１６は、フィルタ保持機構１３００におけるフック部１３０１の別の形成方法を示す説明図である。図１５においては、フック部１３０１とは別の形成方法を用いて形成したフック部を備えた別のフィルタ保持機構を正面から見た状態、および、別のフィルタ保持機構のＦ−Ｆ断面を示している。図１６においては、別のフィルタ保持機構のＦ−Ｆ断面の一部を拡大して示している。図１５および図１６において、別のフィルタ保持機構１５００は、フック部１５０１を備えている。フック部１５０１は、フック部１３０１とは別の形成方法を用いて形成されている。具体的には、フック部１５０１は、フィルタ枠３０１におけるフック部１５０１となる箇所を、スペース１５０２を内側にして囲むような折り曲げ加工を施すことによって形成されている。
【００９３】
フィルタ保持機構１５００においては、フィルタ枠３０１におけるフック部１５０１となる箇所を、スペース１５０２の外側から起こすように折り曲げながらフック部１５０１を形成している。図１６において、符号Ｆ１は、スペース１５０２の、フィルタ枠３０１の板厚方向における寸法を示している。
【００９４】
フィルタ保持機構１３００とフィルタ保持機構１５００とを比較した場合、フィルタ保持機構１３００はスペース１３０２の内側からフック部１３０１を形成しているため、スペース１５０２の外側からフック部１５０１を形成するフィルタ保持機構１５００と比較して、スペース１３０２における寸法Ｅ１の精度を、スペース１５０２における寸法Ｆ１の精度よりも高くことができる。すなわち、スペース１３０２の内側からフック部１３０１を形成することにより、スペース１３０２における寸法Ｅ１の精度が高いフック部１３０１を形成することができ、ＩＲカットフィルタ２０６およびダミーフィルタ２０７を所望する状態で確実に保持することができる。
【００９５】
このため、フィルタ保持機構１３００とフィルタ保持機構１５００とを比較した場合、精度が高いフック部１３０１を形成することができるフィルタ保持機構１３００を用いることがより好ましい。この発明にかかる実施の形態の係止部を実現するフック部は、フック部１３０１あるいはフック部１５０１のいずれの方法を用いて形成したものであってもよい。
【００９６】
以上説明したように、この実施の形態５のフィルタ保持機構１３００によれば、フック部１３０１が、フィルタ枠３０１においてＩＲカットフィルタ２０６およびダミーフィルタ２０７が対向配置される部分を、フィルタ枠３０１の板厚方向に突出させることによって形成されていることを特徴とするため、フック部１３０１を高い精度で形成することができる。これによって、ＩＲカットフィルタ２０６およびダミーフィルタ２０７を所望の状態で確実に保持するとともに、強度を確保しつつフィルタ保持機構１３００における板厚方向の寸法を小さくすることができる。
【００９７】
上述した実施の形態１、２、３、４および５においては、ＩＲカットフィルタ２０６およびダミーフィルタ２０７を保持するフィルタ保持機構１１３、７００について説明したが、フィルタ保持機構１１３、７００、ＩＲカットフィルタ２０６およびダミーフィルタ２０７は別体で構成されるものに限らない。たとえば、光学フィルタ（ＩＲカットフィルタ２０６など）自体でフィルタ枠３０１を構成し、その一部に開口を設け、この開口にダミーフィルタ２０７を取り付ける構成としてもよい。また、ダミーフィルタを形成する材料（ガラスなど）によってフィルタ枠３０１を構成し、その一部に開口を設け、この開口にＩＲカットフィルタ２０６を取り付ける構成としてもよい。
【００９８】
また、上述した実施の形態１、２、３、４および５においては、主鏡筒１０２と後部鏡筒１０３とを光軸方向に連結することによって構成される鏡筒１０１を備えるレンズ装置１００について説明したが、鏡筒１０１の形態はこれに限るものではない。鏡筒は一部品によって構成されるものであってもよい。鏡筒１０１に代えて一部品によって構成される鏡筒を用いた場合にも、上述した各種の効果を得ることができる。
【産業上の利用可能性】
【００９９】
以上のように、この発明にかかるフィルタ保持機構、レンズ装置および撮像装置は、撮像に用いる光の種類を切り替えることが可能なレンズ装置に有用であり、特に、昼夜を通して撮像する監視カメラに適している。
【図面の簡単な説明】
【０１００】
【図１】この発明にかかる実施の形態１のレンズ装置の概略構成を示す断面図である。
【図２】この実施の形態１のレンズ装置の概略構成を示す分解斜視図である。
【図３】この発明にかかる実施の形態１のフィルタ保持機構を示す説明図（その１）である。
【図４】この発明にかかる実施の形態１のフィルタ保持機構を示す説明図（その２）である。
【図５】この発明にかかる実施の形態１のフィルタ保持機構を示す説明図（その３）である。
【図６−１】この発明にかかる実施の形態１のフィルタ保持機構におけるＩＲカットフィルタおよびダミーフィルタの取り付け方法を示す説明図（その１）である。
【図６−２】この発明にかかる実施の形態１のフィルタ保持機構におけるＩＲカットフィルタおよびダミーフィルタの取り付け方法を示す説明図（その２）である。
【図６−３】この発明にかかる実施の形態１のフィルタ保持機構におけるＩＲカットフィルタおよびダミーフィルタの取り付け方法を示す説明図（その３）である。
【図６−４】この発明にかかる実施の形態１のフィルタ保持機構におけるＩＲカットフィルタおよびダミーフィルタの取り付け方法を示す説明図（その４）である。
【図６−５】この発明にかかる実施の形態１のフィルタ保持機構におけるＩＲカットフィルタおよびダミーフィルタの取り付け方法を示す説明図（その５）である。
【図６−６】この発明にかかる実施の形態１のフィルタ保持機構におけるＩＲカットフィルタおよびダミーフィルタの取り付け方法を示す説明図（その６）である。
【図７】この発明にかかる実施の形態２のフィルタ保持機構を示す説明図（その１）である。
【図８】この発明にかかる実施の形態２のフィルタ保持機構を示す説明図（その２）である。
【図９】この発明にかかる実施の形態２のフィルタ保持機構を示す説明図（その３）である。
【図１０−１】この発明にかかる実施の形態２のフィルタ保持機構におけるＩＲカットフィルタおよびダミーフィルタの取り付け方法を示す説明図（その１）である。
【図１０−２】この発明にかかる実施の形態２のフィルタ保持機構におけるＩＲカットフィルタおよびダミーフィルタの取り付け方法を示す説明図（その２）である。
【図１０−３】この発明にかかる実施の形態２のフィルタ保持機構におけるＩＲカットフィルタおよびダミーフィルタの取り付け方法を示す説明図（その３）である。
【図１１】この発明にかかる実施の形態３のフィルタ保持機構を示す説明図である。
【図１２】この発明にかかる実施の形態４のフィルタ保持機構を示す説明図である。
【図１３】この発明にかかる実施の形態５のフィルタ保持機構を示す説明図（その１）である。
【図１４】この発明にかかる実施の形態５のフィルタ保持機構を示す説明図（その２）である。
【図１５】フィルタ保持機構１３００におけるフック部１３０１の別の形成方法を示す説明図（その１）である。
【図１６】フィルタ保持機構１３００におけるフック部１３０１の別の形成方法を示す説明図（その２）である。
【符号の説明】
【０１０１】
１００  レンズ装置
１０１  鏡筒
１１３  フィルタ保持機構
２０６  ＩＲカットフィルタ
２０７  ダミーフィルタ
２０９  ＩＲモータ
３０１  フィルタ枠
３０２  フック部
３０３  当接規制部
３０４  移動規制部
７００  フィルタ保持機構
７０１  フック部
【図１】
2010020002.tif 000003
【図２】
2010020002.tif 000004
【図３】
2010020002.tif 000005
【図４】
2010020002.tif 000006
【図５】
2010020002.tif 000007
【図６−１】
2010020002.tif 000008
【図６−２】
2010020002.tif 000009
【図６−３】
2010020002.tif 000010
【図６−４】
2010020002.tif 000011
【図６−５】
2010020002.tif 000012
【図６−６】
2010020002.tif 000013
【図７】
2010020002.tif 000014
【図８】
2010020002.tif 000015
【図９】
2010020002.tif 000016
【図１０−１】
2010020002.tif 000017
【図１０−２】
2010020002.tif 000018
【図１０−３】
2010020002.tif 000019
【図１１】
2010020002.tif 000020
【図１２】
2010020002.tif 000021
【図１３】
2010020002.tif 000022
【図１４】
2010020002.tif 000023
【図１５】
2010020002.tif 000024
【図１６】
2010020002.tif 000025